(57)【特許請求の範囲】
【請求項１】
透液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する第１開孔部が、前記前後胴周り域と前記股下域とのうちの少なくとも該股下域に形成され、前記第１開孔部につながる不透液性の大便保持袋が、前記裏面シートの外面に取り付けられた使い捨て着用物品において、
前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、
前記襞が、実質的に環状を呈し、前記襞の曲率半径が、前記前胴周り域の側と前記後胴周り域の側とのうちのいずれか一方において大きいことを特徴とする前記着用物品。
【請求項２】
液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する第１開孔部が、前記前後胴周り域と前記股下域とのうちの少なくとも該股下域に形成され、前記第１開孔部につながる不透液性の大便保持袋が、前記裏面シートの外面に取り付けられた使い捨て着用物品において、
前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、
前記第１シートの第２開孔部の周縁から前記接合部までの前記縦方向の最小寸法が、前記前胴周り域の側と前記後胴周り域の側とのうちのいずれか一方において大きいことを特徴とする前記着用物品。
【請求項３】
液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する第１開孔部が、前記前後胴周り域と前記股下域とのうちの少なくとも該股下域に形成され、前記第１開孔部につながる不透液性の大便保持袋が、前記裏面シートの外面に取り付けられた使い捨て着用物品において、
前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、
前記襞が、実質的に環状を呈し、隣り合う前記襞どうしの離間寸法が、前記前胴周り域の側と前記後胴周り域の側とのうちのいずれか一方において大きいことを特徴とする前記着用物品。
【請求項４】
前記襞が、実質的に環状を呈し、前記第１シートの周縁部から第２開孔部へ向かって同心状に並んでいる請求項１または２記載の着用物品。
【請求項５】
前記襞が、実質的に環状を呈し、前記襞の曲率半径が、前記前胴周り域の側と前記後胴周り域の側とのうちのいずれか一方において大きい請求項２または３に記載の着用物品。
【請求項６】
前記第２シートが、前記周縁部の内側に位置する伸縮部を有し、前記第２シートの伸縮部には、前記周縁部から該伸縮部の中心部分へ向かって波状に起伏し、かつ、回帰線状に延びる多数の襞が形成されている請求項１ないし請求項５いずれかに記載の着用物品。
【発明の詳細な説明】
【０００１】
【発明の属する技術分野】
本発明は、排泄物を吸収、保持する使い捨て着用物品に関する。
【０００２】
【従来の技術】
実開平６−３４６１８号公報は、透液性表面シートと不透液性裏面シートとの間に吸液性コアが介在し、縦方向に前胴周り域および後胴周り域と、それら胴周り域の間に位置する股下域とを備え、表裏面シートとコアとをその厚み方向へ貫通する開孔部が股下域に形成されており、開孔部を被覆する透液性大便処理シートが表面シートの外面に配置され、開孔部を被覆する不透液性摘持シートが裏面シートの外面に配置された開放型の使い捨ておむつを開示している。
【０００３】
このおむつでは、開孔部に処理シートが陥入し、開孔部において処理シートと摘持シートとが固着されている。摘持シートは、その周縁部が裏面シートの外面に着脱可能に仮着されている。開孔部では、処理シートと摘持シートとが大便を収容可能な凹部を形成している。このおむつは、凹部に大便を収容することができるので、大便が表面シートの外面を拡散することはなく、摘持シートを裏面シートの外側へ引っ張ることによって、大便を処理シートとともに開孔部からおむつの外側に取り出すことができるという効果を有する。
【０００４】
【発明が解決しようとする課題】
前記公報に開示のおむつでは、凹部における大便の収容容積が小さく、凹部に多量の大便を収容することができない。このおむつでは、その着用中に多量の大便が排泄されると、凹部に収容しきれない大便が表面シートの外面に残存し、大便が着用者の股間部に付着してしまう場合がある。
【０００５】
本発明の課題は、多量の大便が排泄されたとしても、大便が着用者の股間部に付着してしまうことがない使い捨て着用物品を提供することにある。
【０００６】
【課題を解決するための手段】
前記課題を解決するためのこの発明は、第１，第２および第３発明によって構成される。前記第１，第２および第３発明の前提は、透液性表面シートと、不透液性裏面シートと、それらシートの間に介在する吸液性コアとから構成され、縦方向に前胴周り域および後胴周り域と、それら胴周り域の間に位置する股下域とを備え、前記表裏面シートと前記コアとをその厚み方向へ貫通する第１開孔部が、前記前後胴周り域と前記股下域とのうちの少なくとも該股下域に形成され、前記第１開孔部につながる不透液性の大便保持袋が、前記裏面シートの外面に取り付けられた使い捨て着用物品である。
【０００７】
前記前提における前記第１発明の特徴は、前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、前記襞が、実質的に環状を呈し、前記襞の曲率半径が、前記前胴周り域の側と前記後胴周り域の側とのうちのいずれか一方において大きいことにある。
前記前提における前記第２発明の特徴は、前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、前記第１シートの第２開孔部の周縁から前記接合部までの前記縦方向の最小寸法が、前記前胴周り域の側と前記後胴周り域の側とのうちのいずれか一方において大きいことにある。
前記前提における前記第３発明の特徴は、前記袋が、重なり合って周縁部どうしが接合部において固着された不透液性第１シートと不透液性第２シートとから形成され、前記第１シートが、前記周縁部の内側に位置する伸縮部と、前記伸縮部の内側に位置して該第１シートをその厚み方向へ貫通する第２開孔部とを有し、前記伸縮部には、前記周縁部から前記第２開孔部へ向かって波状に起伏し、かつ、回帰線状に延びる多数の襞が形成され、前記第１シートの第２開孔部の周縁が、前記第１開孔部の周縁に固着されており、前記襞が、実質的に環状を呈し、隣り合う前記襞どうしの離間寸法が、前記前胴周り域の側と前記後胴周り域の側とのうちのいずれか一方において大きいことにある。
【０００８】
本発明の実施の態様の一例としては、前記襞が、実質的に環状を呈し、前記第１シートの周縁部から第２開孔部へ向かって同心状に並んでいる。
【０００９】
本発明の実施の態様の他の一例としては、前記襞が、実質的に環状を呈し、前記襞の曲率半径が、前記前胴周り域の側と前記後胴周り域の側とのうちのいずれか一方において大きい。
【００１０】
【００１１】
本発明の実施の態様の他の一例としては、前記第２シートが、前記周縁部の内側に位置する伸縮部を有し、前記第２シートの伸縮部には、前記周縁部から該伸縮部の中心部分へ向かって波状に起伏し、かつ、回帰線状に延びる多数の襞が形成されている。
【００１２】
【発明の実施の形態】
添付の図面を参照し、本発明にかかる使い捨て着用物品の詳細を開放型の使い捨ておむつを例として説明すると、以下のとおりである。
【００１３】
図１，２は、表面シート２の側から示すおむつ１Ａの部分破断斜視図と、裏面シート３の側から示すおむつ１Ａの部分破断斜視図とであり、図３，４は、大便保持袋１３を形成する第１および第２シート１４，１５の斜視図と、図１のＡ−Ａ線端面図とである。図１，２では、横方向を矢印Ｘ、縦方向を矢印Ｙで示し、厚み方向を矢印Ｚで示す。図４では、袋１３がおむつ１Ａの厚み方向下方へ伸長した状態を二点鎖線で示す。なお、表裏面シート２，３や防漏シート１７の内面とは、コア４に対向する面をいい、それらシート２，３，１７の外面とは、コア４に非対向の面をいう。
【００１４】
おむつ１Ａは、肌当接側に位置する透液性表面シート２と、肌非当接側に位置する不透液性裏面シート３と、表裏面シート２，３の間に介在してそれらシート２，３のうちの少なくとも一方の内面に固着された吸液性コア４とを主要な構成部材とする。おむつ１Ａは、それら部材の他に、裏面シート３の外面に取り付けられた不透液性の大便保持袋１３と、表面シート２の外面に位置する不透液性の防漏シート１７とを有する。
【００１５】
おむつ１Ａは、縦方向に前胴周り域５および後胴周り域７と、それら胴周り域５，７の間に位置する股下域６とを備え、コア４の両端縁４ａの外側を横方向へ延びるエンドフラップ８と、コア４の両側縁４ｂの外側を縦方向へ延びるサイドフラップ９とを有する。おむつ１Ａでは、サイドフラップ９が股下域６において横方向内方へ向かって弧を画いており、その平面形状が実質的に砂時計型を呈する。
【００１６】
エンドフラップ８には、横方向へ延びる帯状の胴周り用弾性部材１０が伸長状態で取り付けられている。サイドフラップ９には、縦方向へ延びる複数条の脚周り用弾性部材１１が伸長状態で取り付けられている。
【００１７】
股下域６の横方向中央部には、表裏面シート２，３とコア４とをその厚み方向へ貫通する第１開孔部１２が形成されている。第１開孔部１２は、股下域６における後胴周り域７の側へ偏倚した位置に形成されている。第１開孔部１２の周縁１２ａでは、表面シート２と裏面シート３とが合掌状に重なり合った状態で、それらシート２，３の内面どうしが固着されている。
【００１８】
大便保持袋１３は、おむつ１Ａの厚み方向へ重なる不透液性第１シート１４と不透液性第２シート１５とから形成されている。第１シート１４は、周縁部１４ａと、周縁部１４ａの内側に位置する伸縮部１４ｂと、伸縮部１４ｂの内側に位置して第１シート１４を厚み方向へ貫通する第２開孔部１４ｃとを有する。伸縮部１４ｂには、周縁部１４ａから第２開孔部１４ｃへ向かって波状に起伏する多数の襞１６が形成されている。それら襞１６は、真円状を呈し、周縁部１４ａから第２開孔部１４ｃへ向かって同心円状に並んでいる。それら襞１６は、周縁部１４ａから第２開孔部１４ｃへ向かうにつれてその円周が次第に小さくなっている。伸縮部１４ｂは、それに形成された襞１６を介して伸縮し、伸びることによっておむつ１Ａの厚み方向下方へ凸状に変形可能である。ここで襞１６とは、図３に示すように、伸縮部１４ｂにおいておむつ１Ａの厚み方向上方へ向かって凸となる部位をいう。
【００１９】
第２シート１５は、その面積が第２開孔部１４ｃの面積よりも大きく、襞が形成されておらず、実質的に平坦である。第１シート１４と第２シート１５とは、それらシート１４，１５の周縁部１４ａ，１５ａどうしが合掌状に重なり合った状態で接合部において固着されている。袋１３では、第１シート１４の第２開孔部１４ｃの周縁１４ｄが第１開孔部１２の周縁１２ａにおける裏面シート３の外面に固着されている。
【００２０】
防漏シート１７は、サイドフラップ９に取り付けられ、股下域６から前後胴周り域５，７へ向かって縦方向へ延びている。防漏シート１７は、サイドフラップ９に固着されて縦方向へ延びる固定側部１７ａと、表面シート２の上方へ起立性向を有して縦方向へ延びる自由側部１７ｂと、おむつ１Ａの横方向内方へ倒伏した状態で前後胴周り域５，７に固着された固定両端部１７ｃとを有する。自由側部１７ｂには、縦方向へ延びる伸縮性弾性部材１８が伸長状態で取り付けられている。弾性部材１８は、自由側部１７ｂの一部に被覆されている。
【００２１】
後胴周り域７のサイドフラップ９には、横方向内方へ延びるテープファスナ１９が取り付けられている。テープファスナ１９では、その自由端部に粘着剤（図示せず）が塗布され、自由端部が粘着剤を介して後胴周り域７のサイドフラップ９に着脱可能に仮着されている。前胴周り域５における裏面シート３の外面には、テープファスナ１９を着脱可能に止着する横方向へ長い矩形のターゲットテープ２０が取り付けられている。テープファスナ１９とターゲットテープ２０とは、可撓性を有するプラスチックフィルムから形成されている。
【００２２】
おむつ１Ａを着用するには、後胴周り域７のサイドフラップ９を前胴周り域５のサイドフラップ９の外側に重ね合わせ、粘着剤を介してテープファスナ１９の自由端部をターゲットテープ２０に止着し、前胴周り域５と後胴周り域７とを連結する。前後胴周り域５，７が連結されたおむつ１Ａには、胴周り開口とその下方に一対の脚周り開口とが形成される（図示せず）。
【００２３】
おむつ１Ａでは、それに排泄された大便（図示せず）が第１および第２開孔部１２，１４ｃを通過して袋１３の内側に収容される。第１シート１４は、大便の質量によって襞１６を介して伸縮部１４ｂが矢印Ｚ１で示すおむつ１Ａの厚み方向下方へ向かって伸びる。おむつ１Ａでは、図４に二点鎖線で示すように、袋１３がおむつ１Ａの厚み方向下方へ向かって伸長し、袋１３に大便を収容可能な大便収容部２１が形成される。
【００２４】
おむつ１Ａでは、第１シート１４の伸縮部１４ｂがおむつ１Ａの厚み方向下方へ伸長することで、袋１３に収容部２１が形成されるので、袋１３における大便の収容容積を大きくすることができ、多量の大便を袋１３の内側に収容することができる。おむつ１Ａでは、それに多量の大便が排泄されたとしても、大便が表面シート２の外面に残存することはなく、大便が着用者の股間部に付着してしまうことはない。大便が排泄される以前のおむつ１Ａでは、第１シート１４の伸縮部１４ｂが非伸長状態にあり、袋１３がおむつ１Ａの厚み方向下方へ伸長することはない。
【００２５】
おむつ１Ａでは、それが表面シート２を内側にして縦方向へ湾曲すると、弾性部材１８が縦方向へ収縮して防漏シート１７の自由側部１７ｂが表面シート２の上方へ起立する。おむつ１Ａでは、防漏シート１７の自由側部１７ｂが大便や尿に対する障壁を形成するので、大便や尿が股下域６から漏れてしまうことを防ぐことができる。
【００２６】
エンドフラップ８では、コア４の両端縁４ａから表面シート２の端部２ａと裏面シート３の端部３ａとが縦方向外方へ延び、それらシート２，３の端部２ａ，３ａ内面どうしが互いに重なり合った状態で固着されている。防漏シート１７の固定両端部１７ｃは、表面シート２の端部２ａ外面に固着されている。胴周り用弾性部材１０は、表面シート２の端部２ａと裏面シート３の端部３ａとの間に介在し、それらシート２，３の端部２ａ，３ａ内面に固着されている。
【００２７】
サイドフラップ９では、表面シート２の側部２ｂがコア４の両側縁４ｂから横方向外方へわずかに延び、側部２ｂからさらに横方向外方へ裏面シート３の側部３ｂと防漏シート１７の固定側部１７ａとが延びている。サイドフラップ９では、表面シート２の側部２ｂが裏面シート３の側部３ｂと防漏シート１７の固定側部１７ａとの間に介在し、それらシート２，３，１７の側部２ｂ，３ｂ，１７ａどうしが互いに重なり合った状態で固着されている。脚周り用弾性部材１１は、裏面シート３の側部３ｂと防漏シート１７の固定側部１７ａとの間に介在し、それらシート３，１７の側部３ｂ，１７ａ内面に固着されている。
【００２８】
図５，６は、表面シート２の側から示す他の実施の形態のおむつ１Ｂの斜視図と、裏面シート３の側から示す図５のおむつ１Ｂの部分破断斜視図とであり、図７，８は、袋１３を形成する第１および第２シート１４，１５の斜視図と、図５のＢ−Ｂ線端面図とである。図５，６では、横方向を矢印Ｘ、縦方向を矢印Ｙで示し、厚み方向を矢印Ｚで示す。図８では、大便保持袋１３がおむつ１Ｂの厚み方向下方へ伸長した状態を二点鎖線で示す。
【００２９】
このおむつ１Ｂは、大便保持袋１３の構成が図１に示すおむつ１Ａのそれと異なるだけで、袋１３を除く他の構成は図１のそれと同一である。したがって、このおむつ１Ｂにおける袋１３以外の説明は省略する。
【００３０】
大便保持袋１３は、おむつ１Ｂの厚み方向へ重なる不透液性第１シート１４と不透液性第２シート１５とから形成されている。第１シート１４は、周縁部１４ａと、周縁部１４ａの内側に位置する伸縮部１４ｂと、伸縮部１４ｂの内側に位置する第２開孔部１４ｃとを有する。伸縮部１４ｂには、周縁部１４ａから第２開孔部１４ｃへ向かって波状に起伏する多数の襞１６が形成されている。第２シート１５は、その面積が第２開孔部１４ｃの面積よりも大きく、襞が形成されておらず、実質的に平坦である。第１シート１４と第２シート１５とは、それらシート１４，１５の周縁部１４ａ，１５ａどうしが合掌状に重なり合った状態で接合部において固着されている。袋１３では、第１シート１４の第２開孔部１４ｃの周縁１４ｄが第１開孔部１２の周縁１２ａにおける裏面シート３の外面に固着されている。
【００３１】
第１シート１４では、伸縮部１４ｂに形成された多数の襞１６が実質的に環状を呈し、後胴周り域７の側に位置する襞１６の曲率半径が前胴周り域５の側に位置する襞１６の曲率半径よりも大きい。第１シート１４では、後胴周り域７の側での第２開孔部１４ｃの周縁１４ｄから周縁部１４ａに位置する第２シート１５との接合部までの縦方向Ｙの最小寸法が、前胴周り域５の側での同寸法よりも大きいから、後胴周り域７の側に位置する伸縮部１４ｂの厚み方向下方への伸長寸法が前胴周り域５の側に位置する伸縮部１４ｂの厚み方向下方への伸長寸法よりも大きい。
【００３２】
おむつ１Ｂでは、第１および第２開孔部１２ａ，１４ｃを通過した大便（図示せず）が袋１３の内側に収容される。おむつ１Ｂでは、伸縮部１４ｂがこれに形成された襞１６を介して伸びることによって、第１シート１４の伸縮部１４ｂが矢印Ｚ１で示すおむつ１Ｂの厚み方向下方へ向かって凸状に変形し、袋１３に大便を収容可能な大便収容部２１が形成される。おむつ１Ｂでは、袋１３における大便の収容容積を大きくすることができ、多量の大便を袋１３の内側に収容することができる。おむつ１Ｂでは、大便が表面シート２の外面に残存することはなく、大便が着用者の股間部に付着してしまうことはない。
【００３３】
おむつ１Ｂでは、図８に二点鎖線で示すように、後胴周り域７の側における収容部２１の厚み方向の寸法Ｌ１が前胴周り域５の側における収容部２１の厚み方向の寸法Ｌ２よりも大きく、第２シート１５が前胴周り域５から後胴周り域７へ向かっておむつ１Ｂの厚み方向下方へ傾斜する。おむつ１Ｂでは、大便が第２シート１５における後胴周り域７の側に偏倚した位置に納まるので、大便をそれら開孔部１２ａ，１４ｃから遠ざけることができる。
【００３４】
図９，１０は、表面シート２の側から示す他の実施の形態のおむつ１Ｃの斜視図と、裏面シート３の側から示す図９のおむつ１Ｃの部分破断斜視図とであり、図１１，１２は、袋１３を形成する第１および第２シート１４，１５の斜視図と、図９のＣ−Ｃ線端面図とである。図９，１０では、横方向を矢印Ｘ、縦方向を矢印Ｙで示し、厚み方向を矢印Ｚで示す。図１２では、大便保持袋１３がおむつ１Ｃの厚み方向下方へ伸長した状態を二点鎖線で示す。
【００３５】
このおむつ１Ｃは、大便保持袋１３の構成が図１に示すおむつ１Ａのそれと異なるだけで、袋１３を除く他の構成は図１のそれと同一である。したがって、このおむつ１Ｃにおける袋１３以外の説明は省略する。
【００３６】
大便保持袋１３は、おむつ１Ｃの厚み方向へ重なる不透液性第１シート１４と不透液性第２シート１５とから形成されている。第１シート１４は、周縁部１４ａと、周縁部１４ａの内側に位置する伸縮部１４ｂと、伸縮部１４ｂの内側に位置する第２開孔部１４ｃとを有する。伸縮部１４ｂには、周縁部１４ａから第２開孔部１４ｃへ向かって波状に起伏する多数の襞１６が形成されている。第２シート１５は、その面積が第２開孔部１４ｃよりも大きく、襞が形成されておらず、実質的に平坦である。第１シート１４と第２シート１５とは、それらシート１４，１５の周縁部１４ａ，１５ａどうしが合掌状に重なり合った状態で接合部において固着されている。袋１３では、第１シート１４の第２開孔部１４ｃの周縁１４ｄが第１開孔部１２の周縁１２ａにおける裏面シート３の外面に固着されている。
【００３７】
第１シート１４では、伸縮部１４ｂに形成された多数の襞１６が実質的に環状を呈し、隣り合う襞１６どうしの離間寸法Ｌ３が前胴周り域５の側よりも後胴周り域７の側で大きい。第１シート１４では、後胴周り域７の側での第２開孔部１４ｃの周縁１４ｄから周縁部１４ａに位置する第２シート１５との接合部までの縦方向Ｙの最小寸法が、前胴周り域５の側での同寸法よりも大きいから、後胴周り域７の側に位置する伸縮部１４ｂの厚み方向下方への伸長寸法が前胴周り域５の側に位置する伸縮部１４ｂの厚み方向下方への伸長寸法よりも大きい。
【００３８】
おむつ１Ｃでは、第１および第２開孔部１２ａ，１４ｃを通過した大便（図示せず）が袋１３の内側に収容される。おむつ１Ｃでは、伸縮部１４ｂがこれに形成された襞１６を介して伸びることによって、第１シート１４の伸縮部１４ｂが矢印Ｚ１で示すおむつ１Ｃの厚み方向下方へ向かって凸状に変形し、袋１３に大便を収容可能な大便収容部２１が形成される。おむつ１Ｃでは、袋１３における大便の収容容積を大きくすることができ、多量の大便を袋１３の内側に収容することができる。おむつ１Ｃでは、大便が表面シート２の外面に残存することはなく、大便が着用者の股間部に付着してしまうことはない。
【００３９】
おむつ１Ｃでは、図１２に二点鎖線で示すように、後胴周り域７の側における収容部２１の厚み方向の寸法Ｌ１が前胴周り域５の側における収容部２１の厚み方向の寸法Ｌ２よりも大きく、第２シート１５が前胴周り域５から後胴周り域７へ向かっておむつ１Ｃの厚み方向下方へ傾斜する。おむつ１Ｃでは、大便が第２シート１５における後胴周り域７の側に偏倚した位置に納まるので、大便をそれら開孔部１２ａ，１４ｃから遠ざけることができる。
【００４０】
図１３，１４は、表面シート２の側から示す他の実施の形態のおむつ１Ｄの斜視図と、裏面シート３の側から示す図１３のおむつ１Ｄの部分破断斜視図とであり、図１５，１６は、袋１３を形成する第１および第２シート１４，１５の斜視図と、図１３のＤ−Ｄ線端面図とである。図１３，１４では、横方向を矢印Ｘ、縦方向を矢印Ｙで示し、厚み方向を矢印Ｚで示す。図１６では、袋１３がおむつ１Ｄの厚み方向下方へ伸長した状態を二点鎖線で示す。
【００４１】
このおむつ１Ｄは、大便保持袋１３の構成が図１に示すおむつ１Ａのそれと異なるだけで、袋１３を除く他の構成は図１のそれと同一である。したがって、このおむつ１Ｄにおける袋１３以外の説明は省略する。
【００４２】
大便保持袋１３は、おむつ１Ｄの厚み方向へ重なる不透液性第１シート１４と不透液性第２シート１５とから形成されている。第１シート１４は、周縁部１４ａと、周縁部１４ａの内側に位置する伸縮部１４ｂと、伸縮部１４ｂの内側に位置する第２開孔部１４ｃとを有する。伸縮部１４ｂには、周縁部１４ａから第２開孔部１４ｃへ向かって波状に起伏する多数の襞１６が形成されている。それら襞１６は、真円状を呈し、周縁部１４ａから第２開孔部１４ｃへ向かって同心円状に並んでいる。それら襞１６は、周縁部１４ａから第２開孔部１４ｃへ向かうにつれてその円周が次第に小さくなっている。
【００４３】
第２シート１５は、その面積が第２開孔部１４ｃの面積よりも大きく、周縁部１５ａの内側に位置する伸縮部１５ｂを有する。第２シート１５の伸縮部１５ｂには、周縁部１５ａから伸縮部１５ｂの中心部分１５ｃへ向かって波状に起伏する多数の襞２２が形成されている。それら襞２２は、真円状を呈し、周縁部１５ａから中心部分１５ｃへ向かって同心円状に並んでいる。それら襞２２は、周縁部１５ａから中心部分１５ｃへ向かうにつれてその円周が次第に小さくなっている。伸縮部１５ｂは、これに形成された襞２２を介して伸縮し、伸びることによって、おむつ１Ｄの厚み方向下方へ凸状に変形可能である。
【００４４】
第１シート１４と第２シート１５とは、それらシート１４，１５の周縁部１４ａ，１５ａどうしが合掌状に重なり合った状態で接合部において固着されている。袋１３では、第１シート１４の第２開孔部１４ｃの周縁１４ｄが第１開孔部１２の周縁１２ａにおける裏面シート３の外面に固着されている。
【００４５】
おむつ１Ｄでは、股下域６に排泄された大便が第１および第２開孔部１２，１４ｃを通過して袋１３の内側に収容される。第１シート１４と第２シート１５とは、大便の質量によって襞１６，２２を介して伸びるとともに、伸縮部１４ｂ，１５ｂが矢印Ｚ１で示すおむつ１Ｄの厚み方向下方へ向かって凸状に変形する。したがって、図１６に二点鎖線で示すように、袋１３に大便を収容可能な大便収容部２１が形成される。
【００４６】
おむつ１Ｄでは、第１および第２シート１４，１５の伸縮部１４ｂ，１５ｂがおむつ１Ｄの厚み方向下方へ凸状に変形することで、図１，５，９に示す袋１３よりも袋１３における大便の収容容積が大きくなり、図１，５，９に示す袋１３よりも多量の大便を袋１３の内側に収容することができる。おむつ１Ｄでは、それに多量の大便が排泄されたとしても、大便が表面シート２の外面に残存することはなく、大便が着用者の股間部に付着してしまうことはない。大便が排泄される以前のおむつ１Ｄでは、第１および第２シート１４，１５の伸縮部１４ｂ，１５ｂが非伸長状態にあり、おむつ１Ｄの厚み方向下方へ凸状に変形することはなく、袋１３がおむつ１Ｄの厚み方向下方へ凸状に変形することはない。
【００４７】
表面シート２には、親水性繊維不織布、多数の開孔を有する疎水性繊維不織布、微細な多数の開孔を有する透液性プラスチックフィルムのいずれかを使用することができる。裏面シート３、第１および第２シート１４，１５、防漏シート１７には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００４８】
裏面シート３、第１および第２シート１４，１５、防漏シート１７には、高い耐水性を有するメルトブローン法による繊維不織布を、高い強度と良好な柔軟性とを有するスパンボンド法による繊維不織布で挟んだ複合不織布を使用することもできる。
【００４９】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００５０】
第１および第２シート１４，１５には、横方向と縦方向とヘ弾性的な伸縮性を有する伸縮性繊維不織布を使用することもできる。伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、第１および第２シート１４，１５には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００５１】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００５２】
表裏面シート２，３の固着、第１および第２シート１４，１５の固着、防漏シート１７の固着、コア４の固着、弾性部材１０，１１，１８の固着には、ホットメルト型接着剤、または、ヒートシールやソニックシール等の熱による溶着手段を利用することができる。
【００５３】
それら図示のおむつ１Ａ，１Ｂ，１Ｃ，１Ｄでは、第１開孔部１２の大きさや形状について、特に限定はなく、第１開孔部１２が股下域６のみならず、股下域６から前後胴周り域５，７にまで達していてもよい。また、それら図示のおむつ１Ａ，１Ｂ，１Ｃ，１Ｄでは、大便保持袋１３の大きさについて特に限定はない。
【００５４】
それら図示のおむつ１Ａ，１Ｂ，１Ｃ，１Ｄでは、袋１３をおむつ１Ａ，１Ｂ，１Ｃ，１Ｄから取り外すことができるように、第１シート１４の開孔部１４ｂの周縁１４ｄが第１開孔部１２の周縁１２ａに剥離可能に固着されていてもよい。この場合は、大便が収容された袋１３をおむつ１Ａ，１Ｂ，１Ｃ，１Ｄとは別に破棄することができる。
【００５５】
それら図示のおむつ１Ａ，１Ｂ，１Ｃ，１Ｄでは、袋１３を交換することができるように、第１シート１４の開孔部１４ｂの周縁１４ｄが第１開孔部１２の周縁１２ａに着脱可能に固着されていてもよい。この場合は、第１シート１４の開孔部１４ｂの周縁１４ｄと第１開孔部１２の周縁１２ａとを粘着剤やメカニカルファスナを介して着脱可能に連結する。
【００５６】
図５に示すおむつ１Ｂでは、第１シート１４の伸縮部１４ｂに形成された多数の襞１６が実質的に環状を呈し、後胴周り域５の側に位置するそれら襞１６の曲率半径が前胴周り域５の側に位置するそれら襞１６の曲率半径より小さくてもよい。また、図９に示すおむつ１Ｃでは、第１シート１４の伸縮部１４ｂに形成された多数の襞１６が実質的に環状を呈し、隣り合う襞１６どうしの離間寸法Ｌ３が前胴周り域５の側よりも後胴周り域７の側で小さくてもよい。
【００５７】
図５，９に示すおむつ１Ｂ，１Ｃでは、第１シート１４の伸縮部１４ｂに形成された多数の襞１６が実質的に環状を呈し、後胴周り域７の側に位置するそれら襞１６の曲率半径が前胴周り域５の側に位置するそれら襞１６の曲率半径よりも大きく、かつ、隣り合う襞１６どうしの離間寸法Ｌ３が前胴周り域５の側よりも後胴周り域７の側で大きくてもよい。また、図５，９に示すおむつ１Ｂ，１Ｃでは、第１シート１４の伸縮部１４ｂに形成された多数の襞１６が実質的に環状を呈し、後胴周り域７の側に位置するそれら襞１６の曲率半径が前胴周り域５の側に位置するそれら襞１６の曲率半径よりも小さく、かつ、隣り合う襞１６どうしの離間寸法Ｌ３が前胴周り域５の側よりも後胴周り域７の側で小さくてもよい。
【００５８】
この発明は、着用時に前後胴周り域を連結する開放型のおむつの他に、前後胴周り域のサイドフラップがあらかじめ連結されて胴周り開口と脚周り開口とが形成されたパンツ型のおむつにも実施することができる。
【００５９】
【発明の効果】
本発明にかかる使い捨て着用物品によれば、第１および第２開孔部を通過した大便が大便保持袋の内側に収容される。この物品では、大便の質量によって、第１シートの伸縮部が物品の厚み方向下方へ向かって凸状に変形し、袋に大便を収容可能な大便収容部が形成される。この物品では、袋における大便の収容容積を大きくすることができ、多量の大便を袋に収容することができる。この物品では、大便が表面シートの外面に残存することはなく、大便が着用者の股間部に付着してしまうことはない。
【００６０】
第１シートの伸縮部に形成された多数の襞が実質的に環状を呈するとともに、それら襞の曲率半径が前胴周り域の側と後胴周り域の側とのうちのいずれか一方において大きく、他方において小さい物品では、第１シートの伸縮部が物品の厚み方向下方へ向かって凸状に変形することで、袋に大便を収容可能な大便収容部が形成されることはもちろんのこと、第２シートが前胴周り域と後胴周り域とのうちのいずれか一方に向かって物品の厚み方向下方へ傾斜する。この物品では、大便が第２シートにおける前後胴周り域のいずれかの側に偏倚した位置に納まるので、大便をそれら開孔部から遠ざけることができる。
【００６１】
第１シートの伸縮部に形成された多数の襞が実質的に環状を呈するとともに、隣り合う襞どうしの離間寸法が前胴周り域の側と後胴周り域の側とのうちのいずれか一方において大きく、他方において小さい物品では、第１シートの伸縮部が物品の厚み方向下方へ向かって凸状に変形することで、袋に大便を収容可能な大便収容部が形成されることはもちろんのこと、第２シートが前胴周り域と後胴周り域とのうちのいずれか一方に向かって物品の厚み方向下方へ傾斜する。この物品では、大便が第２シートにおける前後胴周り域のいずれかの側に偏倚した位置に納まるので、大便をそれら開孔部から遠ざけることができる。
【００６２】
袋を形成する第２シートが物品の厚み方向へ伸縮可能な伸縮部を有する物品では、第１および第２シートの伸縮部がおむつの厚み方向へ凸状に変形することで、袋に大便を収容可能な大便収容部が形成されることはもちろんのこと、第１シートのみが伸縮部を有する袋と比較して袋における大便の収容容積を一層大きくすることができる。
【図面の簡単な説明】
【図１】  表面シートの側から示すおむつの部分破断斜視図。
【図２】  裏面シートの側から示すおむつの部分破断斜視図。
【図３】  大便保持袋を形成する第１および第２シートの斜視図。
【図４】  図１のＡ−Ａ線端面図。
【図５】  表面シートの側から示す他の実施の形態のおむつの斜視図。
【図６】  裏面シートの側から示す図５のおむつの部分破断斜視図。
【図７】  袋を形成する第１および第２シートの斜視図。
【図８】  図５のＢ−Ｂ線端面図。
【図９】  表面シートの側から示す他の実施の形態のおむつの斜視図。
【図１０】  裏面シートの側から示す図９のおむつの部分破断斜視図。
【図１１】  袋を形成する第１および第２シートの斜視図。
【図１２】  図９のＣ−Ｃ線端面図。
【図１３】  表面シートの側から示す他の実施の形態のおむつの斜視図。
【図１４】  裏面シートの側から示す図１３のおむつの部分破断斜視図。
【図１５】  袋を形成する第１および第２シートの斜視図。
【図１６】  図１３のＤ−Ｄ線端面図。
【符号の説明】
１Ａ            開放型の使い捨ておむつ（使い捨て着用物品）
１Ｂ            開放型の使い捨ておむつ（使い捨て着用物品）
１Ｃ            開放型の使い捨ておむつ（使い捨て着用物品）
１Ｄ            開放型の使い捨ておむつ（使い捨て着用物品）
２              透液性表面シート
３              不透液性裏面シート
４              吸液性コア
５              前胴周り域
６              股下域
７              後胴周り域
１２              第１開孔部
１２ａ            周縁
１３              大便保持袋
１４              不透液性第１シート
１４ａ            周縁部
１４ｂ            伸縮部
１４ｃ            第２開孔部
１４ｄ            周縁
１５              不透液性第２シート
１５ａ            周縁部
１５ｂ            伸縮部
１６              襞
２２              襞
Ｌ３              離間寸法
【図１】
0003798691.tif 000002
【図２】
0003798691.tif 000003
【図３】
0003798691.tif 000004
【図４】
0003798691.tif 000005
【図５】
0003798691.tif 000006
【図６】
0003798691.tif 000007
【図７】
0003798691.tif 000008
【図８】
0003798691.tif 000009
【図９】
0003798691.tif 000010
【図１０】
0003798691.tif 000011
【図１１】
0003798691.tif 000012
【図１２】
0003798691.tif 000013
【図１３】
0003798691.tif 000014
【図１４】
0003798691.tif 000015
【図１５】
0003798691.tif 000016
【図１６】
0003798691.tif 000017